(57)【要約】【課題】ポインティングディバイスに関し、ケーブルの引き出し位置を可変にして使い勝手を良好にすることを目的とする。【解決手段】本体部１に保持される位置検出手段２からの位置検出情報をケーブル３を介してディスプレイ装置４に伝達するポインティングディバイスであって、  前記ケーブル３の接触端子５が本体部１に対して水平回転自在な回転体６に配置されるとともに、  前記位置検出手段２からの出力端子７が前記接触端子５の回転軌跡上において接触端子５に接触する本体部１上の定点に配置され。  かつ、出力端子７と接触端子５とが回転体６の回転ストローク全域で接触状態を維持可能に構成する。【選択図】  図１
2005235006.tif 000002
【特許請求の範囲】
【請求項１】
本体部に保持される位置検出手段からの位置検出情報をケーブルを介してディスプレイ装置に伝達するポインティングディバイスであって、
前記ケーブルの接触端子が本体部に対して水平回転自在な回転体に配置されるとともに、
前記位置検出手段からの出力端子が前記接触端子の回転軌跡上において接触端子に接触する本体部上の定点に配置され。
かつ、出力端子と接触端子とが回転体の回転ストローク全域で接触状態を維持可能なポインティングディバイス。
【請求項２】
前記出力端子が本体部に形成される筒体に固定されるとともに、
前記接触端子は、前記筒体の中心軸周りに回転自在なリング体に固定される請求項１記載のポインティングディバイス。
【発明の詳細な説明】
【技術分野】
【０００１】
本発明は、ポインティングディバイスに関するものである。
【背景技術】
【０００２】
ケーブルの引き出し方向を調整可能にして使い勝手を良好にしたマウスとしては、特許文献１記載のものが知られている。
この従来例において、マウスの側壁部にはマウスケーブルを拘束して引き出し位置を変更するケーブル拘束機が貼り付けられ、例えば、クリックボタンが配置される前端から引き出されるケーブルをケーブル拘束機内に挿通させ、マウス後方から引き出されたようにして、マウス前方に作業空間を確保することができる。
【特許文献１】特開２００３-１７７８７０号公報
【発明の開示】
【発明が解決しようとする課題】
【０００３】
しかし、上述した従来例は、マウスケーブルの引き出し位置を自由に設定可能ではあるものの、引き出し位置はマウスの使用に際して予め設定しておく必要があるために、使い勝手が悪いという問題がある。
【０００４】
本発明は、以上の欠点を解消すべくなされたものであって、ケーブルの引き出し位置を可変にして使い勝手を良好にしたポインティングディバイスの提供を目的とする。
【課題を解決するための手段】
【０００５】
本発明におけるポインティングディバイスは、位置検出手段２として回転操作可能なボール２ａと、ボール２ａの回転角を検出するロータリエンコーダ２ｂを使用した機械式マウス、あるいはトラックボール、さらには、上記位置検出をＬＥＤからの反射光を利用して光学的に行う光学式マウスに加え、位置検出手段２での位置検出結果をケーブル３を介してディスプレイ装置４に伝達し、ディスプレイ装置４上の特定点に関連付ける装置の全体を含む。
【０００６】
図１に示すように、ポインティングディバイスは本体部１の変位量、あるいは本体部１に対する検出部の変位量を検出するものであり、機械式マウス等におけるロータリエンコーダ２ｂ、あるいは光学式マウス等におけるＬＥＤ等は、本体部１に対して相対位置不変に配置される。これに伴って信号処理のための回路基板１ａも本体部１に対して不変位置に配置され、後述するケーブル３への出力端子７も本体部１上の定点に配置される。
【０００７】
一方、本体部１から引き出されるケーブル３の接触端子５は、上記定点近傍を通過する回転軌跡上で回転する回転体６上に固定され、これら接触端子５と出力端子７との接触を回転体６の回転領域全域に渡って維持するように、少なくとも一方を周方向に延長すると、位置検出手段２からの信号を常にケーブル３に出力できる。図１（ｂ）に示すように、接触端子５、５間、あるいは出力端子７、７間の短絡を防止するために、これら端子は高さ方向に適宜間隔をおいて配置される。
【０００８】
回転体６の本体部１に対する回転可能角度は３６０°を含んで適宜決定することが可能であり、この範囲内でケーブル３の引き出し位置が可変となる。この結果、ケーブル３が邪魔な場合には、図１（ｃ）に示すように、本体部１の姿勢にかかわらず、ケーブル３の引き出し位置を所望の位置に変更することができる。
【発明の効果】
【０００９】
本発明によれば、ケーブル３の引き出し位置を変更できるために、ケーブル３が邪魔になることがなく、使い勝手が良好になる。
【発明を実施するための最良の形態】
【００１０】
図２、３に本発明の実施の形態を示す。この実施の形態において、ポインティングディバイスは機械式マウスとして構成される。マウスは、ベース部１ｂとカバー部１ｃとからなる本体部１内に位置検出手段２を収容して構成され、カバー部１ｃには、クリックボタン１ｄが配置される。
【００１１】
図２（ｂ）に示すように、位置検出手段２は、本体部１に回転自在に保持されるボール２ａと、ボール２ａの回転に対する直交方向の移動成分を検出するための一対のロータリエンコーダ２ｂ、２ｂと、制御基板１ａとから構成される。ボール２ａは圧縮スプリング９によりロータリエンコーダ２ｂ側に付勢される。また、図３に示すように、上記クリックボタン１ｄが保持される実装基板１ｅは内部ケーブル１ｆを介して制御基板１ａに接続される。
【００１２】
８は位置検出手段２を包囲するようにベース部１ｂから立設される円筒形状の筒体であり、この筒体８の外周壁面に出力端子７が固定される。出力端子７は、制御基板１ａから引き出される複数のシグナル線の各々に形成され、相互の短絡を防止するために、筒体８に高さ方向に適宜間隔をおいて配置される（図２（ｃ）参照）。各出力端子７は。筒体８の全周に渡って形成される。
【００１３】
６はリング体であり本体部１に対して回転自在に保持される。このリング体６は上記筒体８を外嵌するように配置され、その内周壁面にケーブル３の一端に形成された接触端子５が固定される。接触端子５は、上記複数の出力端子７に対応して設けられ、各々がリング体６の回転角（この実施の形態においては、３６０°）の全域内で対応する出力端子７に接触する。出力端子７との接触の信頼性を高め、さらには、接触抵抗を減少させるために、図２（ｂ）に示すように、接触端子５は周方向に適宜長（この実施の形態においては、１８０°の範囲）を有して形成される。
【００１４】
したがって、この実施の形態において、本体部１に対してリング体６を回転させても接触端子５は出力端子７に摺接して移動し、全回転領域において接触状態を維持する。このため、図３に示すように、ケーブル３の引き出し起点（接触端子５）位置が回転しても、制御基板１ａとの導通が保証され、ケーブル３が邪魔な場合には、所望の位置に回転移動させることができる。
【図面の簡単な説明】
【００１５】
【図１】本発明の原理を示す図で、（ａ）は平面図、（ｂ）は（ａ）の１Ｂ方向要部矢視図、（ｃ）はケーブルを回転させた状態を示す平面図である。
【図２】本発明を示す図で、（ａ）は側面図、（ｂ）は（ａ）の２Ａ-２Ａ線断面図、（ｃ）は（ｂ）の２Ｃ-２Ｃ線断面図である。
【図３】本発明の動作を示す図で、（ａ）は図２（ａ）の３Ａ-３Ａ線断面図、（ｂ）はケーブルを回転させた状態を示す断面図である。
【符号の説明】
【００１６】
１        本体部
２        位置検出手段
３        ケーブル
４        ディスプレイ装置
５        接触端子
６        回転体
７        出力端子
８        筒体
【図１】
2005235006.tif 000003
【図２】
2005235006.tif 000004
【図３】
2005235006.tif 000005